(57)【要約】  本発明は、水耕植物または野菜栽培のための複数のジオテキスタイルフェルトのポーチの形態の上下方向ダブル吊下ユニットのモジュールパネル及び構造に関し、水耕栽培のための複数のジオテキスタイルフェルトのポーチの形態の複数の上下方向ダブル吊下ユニットを有する上下方向パネルと、グリーンハウスを形成するためのプラスチックカバー及び固定天頂ベンチレーションを有する構造と、その構成のためのシステムとを含む。本発明の目的は、新規の単純な内部構造により、現在市場に存在するものとは全体的に異なるタイプの上下方向パネル及びグリーンハウスを提供することである。その主要特長は、市場に存在する様々な上下方向パネル及びグリーンハウスの複数の利点を組み合わせるものの、より小さい数のコンポーネンツを有し、より良い効率を有する。
2015533496.tif 000002
【特許請求の範囲】
【請求項１】
植物水耕栽培のための複数のポーチの形態の複数の上下方向ダブル吊下ユニットのパネルにおいて、
ａ）複数のひだを有する２つの上下方向支持ポスト、及び、前記２つの上下方向ポストと、前記２つの上下方向ポストに固定された複数の吊下ユニットの複数の位置に複数の横方向バーを固定するための複数の孔部とに固定された２つの締付けストラップによって形成された支持構造と、
ｂ）前記２つの上下方向ポストに固定された前記複数の横方向バー上に配置された複数のジオテキスタイルフェルトのポーチの形態の複数の上下方向ダブル吊下ユニットであって、容易に列単位で設置され、または取り外される複数の上下方向ダブル吊下ユニットと、
ｃ）逆Ｌ状パイプネットワーク、水採取ダクト、及び水圧ポンプと、
ｄ）パネル構造に起因してグリーンハウスを形成すべくプラスチックカバーと、パッシブベンチレーションとを含む構造と
を備え、
前記パッシブベンチレーションは、パネルの底部における低温空気の流入と、グリーンハウスの上部の固定屋根ベンチレーションを介した高温空気の排出とに起因する圧力差によって導入され、
必要とされるパネルの支持及び構造強度を複数のポストが生じさせる複数の上下方向ダブル吊下ユニットのパネル。
【請求項２】
前記複数の上下方向ダブル吊下ユニットは、
ａ）ダブル吊下ユニットの上部の、横方向に延在する折り目内の横方向のローダバーと、
ｂ）ローダバーの上部の、横方向に延在する折り目であって、底部に２つのカーテンを形成する折り目と、
をさらに備え、
各カーテンは、複数のポーチを含む列を含んだ、横方向に延在する折り目を有し、
前記複数のポーチは、上部に開口をもたらすことで複数のポーチを形成する、互いの間の複数の等距離の上下方向縫い目で形成される、
請求項１に記載の複数の上下方向ダブル吊下ユニットのパネル。
【請求項３】
逆Ｌ状パイプネットワークは、上下方向パイプと、横方向パイプとを備え、
前記横方向パイプは、点滴器としての等距離の複数の穿孔を前記横方向パイプ内に有する、請求項１または２に記載の複数の上下方向ダブル吊下ユニットのパネル。
【請求項４】
上下方向パネルは、複数の上下方向パネルがそれらの複数のポストにおいて横方向に直線状に繋がって配置されることができ、これにより前記水採取ダクトが直線状に接続されるだけではなく、横方向のパイプを直線状に接続することが可能になり、その結果、灌漑システムのために１つの上下方向パイプ及び１つの水圧ポンプのみが使用される、請求項１から３の何れか１項に記載の複数の上下方向ダブル吊下ユニットのパネル。
【請求項５】
上下方向パネルは、複数の上下方向パネルがそれらの複数のポストにおいて上下方向に直線状に繋がって配置されることができ、これにより前記水採取ダクト及び１つのみの水圧ポンプだけではなく、１つのみの上下方向パイプを直線状に接続することが可能になる、請求項１から４の何れか１項に記載の複数の上下方向ダブル吊下ユニットのパネル。
【請求項６】
上下方向パネルは、設置される態様に起因して、スカッド内で安定するのに必要な支持及び構造強度を複数のポストが生じさせるので、複数のパネルを支持する如何なる壁または上下方向部材にも依存することなく、前記複数のパネルが配置されることができる、請求項１から５の何れか１項に記載の複数の上下方向ダブル吊下ユニットのパネル。
【請求項７】
上下方向パネルは、設置される態様に起因して、上下方向に安定するのに必要な支持及び構造強度と、果樹園または複数のグリーンハウスを形成するべく異なる位置における前記設置を複数のポストが生じさせる、請求項１から６の何れか１項に記載の複数の上下方向ダブル吊下ユニットのパネル。
【請求項８】
上下方向パネルは、設置される態様に起因して、グリーンハウスを形成すべく、プラスチックカバー及びパッシブベンチレーションを含む構造が設置されるのに必要な支持及び構造強度を複数のポストが生じさせ、
前記パッシブベンチレーションは、パネルの底部における低温空気の流入と、グリーンハウスの上部の固定屋根ベンチレーションを介した高温空気の排出とに起因する圧力差によって導入される、請求項１から７の何れか１項に記載の複数の上下方向ダブル吊下ユニットのパネル。
【請求項９】
アングル、収穫、シル（ｓｉｌｌ）またはＴ字の外形及び積層物、管状またはソリッドの部分を提供するべく、上下方向パネルは、２つの上下方向ポストを有する、請求項１から８の何れか１項に記載の複数の上下方向ダブル吊下ユニットのパネル。
【請求項１０】
上下方向パネルは、その施工手順に起因して、完全にリサイクル可能な材料の組成が自然環境を維持し炭素放出を減少させるだけではなく、一切の無駄を引き起こさずに容易に、移動可能、組立可能、設置可能、取り外し可能、折り畳み可能、及び１００％再利用可能である、請求項１から９の何れか１項に記載の複数の上下方向ダブル吊下ユニットのパネル。
【請求項１１】
水圧ポンプが水採取ダクトの内側または外側に配置されることができる、請求項１から１０の何れか１項に記載の複数の上下方向ダブル吊下ユニットのパネル。
【請求項１２】
植物水耕栽培のための複数のジオテキスタイルフェルトのポーチの形態の上下方向ダブル吊下ユニットであって、
ａ）ダブル吊下ユニットの上部の、横方向に延在する折り目内の横方向のローダバーと、
ｂ）ローダバーの上部の、横方向に延在する折り目であって、底部に２つのカーテンを形成する折り目と、
を備え、
各カーテンは、複数のポーチを含む列を含んだ、横方向に延在する折り目を有し、
前記複数のポーチは、上部に開口をもたらすことで複数のポーチを形成する、互いの間の複数の等距離の上下方向縫い目で形成される上下方向ダブル吊下ユニット。
【請求項１３】
複数のジオテキスタイルフェルトのポーチの形態の複数の上下方向ダブル吊下ユニットは、列単位で設置され、または取り外される、請求項１２に記載の上下方向ダブル吊下ユニット。
【請求項１４】
複数のジオテキスタイルフェルトのポーチの形態の複数の上下方向ダブル吊下ユニットは独立して配置されることができ、または、複数の上下方向ダブル吊下ユニットは、パネル内に、または、壁若しくは天井に対するブラケット、複数の締付けストラップ、または複数のバーによって、配置されることができる、請求項１２または１３に記載の上下方向ダブル吊下ユニット。
【請求項１５】
各カーテンはジオテキスタイルフェルトであり、互いの間の複数の等距離の上下方向縫い目で形成された複数のポーチを有する列を含み、複数のジョイントは、縫われるか、接着されるか、Ｕ字釘で留められるか、或いは、リベットで留められることができる、請求項１２から１４の何れか１項に記載の上下方向ダブル吊下ユニット。
【請求項１６】
複数の上下方向ダブル吊下ユニットの複数の上下方向パネルに適した植物栽培のためのグリーンハウスであって、
ａ）複数の上下方向ダブル吊下ユニットの複数の上下方向パネルと、
ｂ）複数のポストに複数のネジで固定された複数の上下方向ダブル吊下ユニットの複数のパネル上に配置された複数の上下方向の管状プロファイルと、
ｃ）プラスチックカバーを保持すべく前記複数の上下方向のプロファイルに複数のネジで固定された複数の斜めの及び横方向の管状プロファイルと、
ｄ）太陽光を通過させるプラスチックカバーと、
ｅ）パネルの底部における低温空気の流入と、グリーンハウスの上部の固定屋根ベンチレーションを介した高温空気の排出とに起因する圧力差によって導入されるパッシブベンチレーションのための抗アブラムシメッシュと、
を備えるグリーンハウス。
【請求項１７】
複数の植物のための複数のチュータを吊るすべく、複数の上下方向ダブル吊下ユニットの複数のパネルの上部にバーを有する、請求項１６に記載のグリーンハウス。
【請求項１８】
複数の雨水採取ダクトを更に有する、請求項１６または１７に記載のグリーンハウス。
【請求項１９】
建築システムは、非組み立て部品を容易に組み立てることを可能にする、請求項１６から１８の何れか１項に記載のグリーンハウス。
【請求項２０】
前記グリーンハウスの構造は、
複数のパネルの複数の上下方向ポストコネクタと、複数の斜めの管状プロファイル及び複数の横方向管状プロファイルの複数の穿孔とに対して複数のネジで固定された管状テレスコープの形態の複数の上下方向の管状プロファイルと、
複数のネジにより固定された複数のプラグ及び複数の穿孔を有する、複数の横方向管状プロファイル及び複数の斜めの管状プロファイルのジョイントと、
ディップスティック及びホースに固定され、太陽光を通し、雨水を避けるプラスチックカバーと、
ディップスティック及びホースにより固定された、固定屋根ベンチレーションのための抗アブラムシメッシュと、
を備え、
前記複数の穿孔は、複数のネジで複数の上下方向のプロファイルに固定される、請求項１６から１９の何れか１項に記載のグリーンハウス。
【発明の詳細な説明】
【技術分野】
【０００１】
本発明は、水耕植物または野菜栽培のための複数のジオテキスタイルフェルトのポーチの形態の上下方向ダブル吊下ユニットのモジュールパネル及び構造に関し、水耕栽培のための複数のジオテキスタイルフェルトのポーチの形態の複数の上下方向ダブル吊下ユニットを有する上下方向パネルと、グリーンハウスを形成するためのプラスチックカバー及び固定天頂ベンチレーションを有する構造と、その構成のためのシステムとを含む。本発明の目的は、新規で単純な内部構造により、現在市場に存在するものとは全体的に異なるタイプの上下方向パネル及びグリーンハウスを提供することである。その主要特長は、市場に存在する様々な上下方向パネル及びグリーンハウスの複数の利点を組み合わせるものの、より小さい数の構成要素を有し、より良い効率を有する。
【０００２】
本発明は、グリーンハウス及び田畑の産業についての、複数のポーチの形態の複数の上下方向ダブル吊下ユニットと、複数のポーチの形態の複数の上下方向ダブル吊下ユニットのパネルと、上下方向の形態、特に吊下げ形態で、ハウス、オフィス、小さく密閉された部屋に対してより良い外観の、水耕植物または野菜栽培のための複数のパネルにより形成されたグリーンハウス構造とに関する。
【背景技術】
【０００３】
一般に、上下方向の壁の側面にポットを吊るすためには、３つのストラップを有するブラケット、リング、及びフックが使用される。近年、鑑賞用の植物及び野菜の複数の水耕栽培システムは、複数のトレイ、チューブまたはダクト上で、水平か、或いは傾いた態様で形成されている。このシステムでは、植物栽培方法である水栽培のような様々な栽培手段が、種をまかれるパーライト、砂利、ロックウール、ココナッツ繊維、及びココナッツの殻のような不活性培地と、水に溶解した無機栄養素溶液とを土を用いることなく使用する。利点は、フルーツの成長及び高い生産量を提供する栄養素の量及び種類がリサイクルされ制御されることに起因する水の消費の減少と、土壌に存在する病気、害虫、病原体の制御である。
【０００４】
特許出願ＭＸ／ａ／２０１２／００８５３１は、複数のジオテキスタイルフェルトのポーチの形態の複数の上下方向吊下げユニットを有するパネルに関する。しかし、前述のパネルは、防水コートを有さない複数のジオテキスタイルフェルトのポーチの形態の複数の上下方向ダブル吊下ユニットから形成されてはおらず、両面に種をまかれること、及び、グリーンハウスを形成する固定屋根ベンチレーションを有するプラスチックカバー構造を持たないことに起因して、パネルにおける植物密度が２倍に増大している。結果として、本発明は生産量を２倍に増大させる問題を解決するので、上述の文献とは異なっている。よって、本発明は予期も示唆もされず、新規で発明性があると考えられる。
【０００５】
実用新案登録第ＣＮ２０１７８１８０７号公報は２つのファブリック、不織吸収体及び、防水フィルムを有する綿を含むパネルに関し、このパネルは、水とともに複数の管によってスプレーされた植物を保持する袋を形成する複数のスロットを有する複数の列を含む。しかし、前述のシステムは、片面に少なくとも一つの防水ジオテキスタイルフェルトを有している。また、前述のシステムは、上下方向吊下げユニットの他の複数の列における残りの複数の植物に影響を与えることなく１つの列からの植物を維持すること、変更すること、または取り除くことを目的として設置されるまたは取り外される複数のポーチの形態の吊下ユニットを有しておらず、灌漑システム及び水分回収も有していない。形態は構造強度を有しておらず、パネルを他のパネル上に配置することを不可能にしている。
【０００６】
特許ＧＢ２４５４６７８は、少なくとも２つの列と、２つの列の間に並べられ植物が配置された複数のポーチを形成する複数のセルとを有する吊下パネルに関する。パネルは２つのパネル、プラスチックシートのメインパネルと、ポーチを形成しパネル間で繋がる複数のリップル及び複数の孔部が形成されたフレキシブルシートの補助パネルとで形成され、植物は複数の管を介してスプレーされる。しかし、このシステムは片面に少なくとも一つの防水ジオテキスタイルフェルトを有しているものの、上下方向吊下げユニットの他の列の残りの植物に影響を与えることなく、１つの列からの植物を維持、変更または取り除くべく設置されまたは取り外される複数のポーチの形態の吊下ユニットを有していない。また、このシステムは水分回収を有さず、その形態が構造強度を有していないため、パネルを他のパネル上に配置することが不可能である。
【０００７】
出願ＵＳ２０１２０００５９５８は、植物が配置された複数の袋を形成する複数の列を有するプラスチックチューブの吊下パネルであって、異なる部分ごとに様々な穿孔により接合された吊下げパネルに関する。植物は複数の管により水と一緒にスプレーされる。しかし、このシステムは、片面に少なくとも一つの防水ジオテキスタイルフェルトを有しているものの、上下方向吊下げユニットの他の列の残りの植物に影響を与えることなく、１つの列からの植物を維持、変更または取り除くべく設置されまたは取り外される複数のポーチの形態の吊下ユニットを有していない。また、このシステムは、灌漑システム及び水分回収を有さず、その形態が構造強度を有していないため、パネルを他のパネル上に配置することが不可能である。
【０００８】
特許ＦＲ２９０２９６６は、複数のセルを有する少なくとも２つの列を有する吊下パネルに関する。複数のセルは、２つの列の間に並べられ植物が配置された複数のポーチを形成する。パネルは、ジオテキスタイルシートを形成する壁で形成され、複数のセルまたはジオテキスタイルのシートの複数のポーチが繋がれた別の部分は壁パネルに接着されまたは縫い付けられる。各セルはセル内部に横方向の壁を有する。しかし、このシステムは、片面に少なくとも一つの防水ジオテキスタイルフェルトを有しているものの、上下方向吊下げユニットの他の列の残りの植物に影響を与えることなく、１つの列からの植物を維持、変更または取り除くべく設置されまたは取り外される複数のポーチの形態の吊下ユニットを有していない。また、このシステムは、灌漑システム及び水分回収を有さず、その形態が構造強度を有していないため、パネルを他のパネル上に配置することが不可能である。
【０００９】
特許ＵＳ２０１２００６６９７２は、植物が配置される複数のポーチを形成する複数の列及び複数のスロットを有する上下方向の吊下パネルに関する。パネルは、カバー及び複数のローラを使用する底部タンクを有するｎ字状のフレーム内部の不織のジオテキスタイルの生地で形成される。しかし、このシステムは、片面に少なくとも一つの防水ジオテキスタイルフェルトを有しているものの、上下方向吊下げユニットの他の列の残りの植物に影響を与えることなく、１つの列からの植物を維持、変更または取り除くべく設置されまたは取り外される複数のポーチの形態の吊下ユニットを有していない。このシステムは、その形態が構造強度を有していないため、パネルを他のパネル上に配置することが不可能である。
【００１０】
概して、与えられた解決法は、植物が配置されたポーチを有する複数の列を貫いて統合された上下方向パネルである。これらのパネルは硬直しているか、或いは柔軟であるので、その構造では、他に影響を与えることなく、複数のポーチを有する任意の列を取り除く、または変更することができず、不便である。
【００１１】
＜本発明の目的＞
本発明の目的は、水耕植物または植物栽培のための複数のポーチの形態の上下方向ダブル吊下ユニットのモジュール構造であって、複数のジオテキスタイルフェルトのポーチの形態の複数の上下方向ダブル吊下ユニットを有する上下方向パネルを含むモジュール構造と、その構成及び栽培工程とに関する。
【００１２】
本発明の第１の目的は、前面及び後面から見た場合の上下方向パネル内での鉛直栽培を行うべく、複数のジオテキスタイルフェルトのポーチの形態の複数の上下方向ダブル吊下ユニットを配置しつつ、下側の水平面における植物の数を増加させることである。
【００１３】
本発明の第２の目的は、上下方向パネルの複数のジオテキスタイルフェルトのポーチの形態の複数の上下方向ダブル吊下ユニットまたはダブルユニットを設置すること、または取り外すことである。
【００１４】
本発明の第３の目的は、上下方向パネルの他の複数の列における複数の残りの植物に影響を与えることなく、１つの列における植物を変更するか、取り除くことである。
【００１５】
本発明の第４の目的は、互いにオーバーラップし植物を保持している複数のジオテキスタイルフェルトのポーチの形態の各上下方向ダブル吊下ユニットを通って、重力及び毛細管によって連続的に排出する管を介して上側の上下方向パネルから水を供給することである。
【００１６】
本発明の第５の目的は、水消費を低減すべく、水圧ポンプによってリサイクルされる灌漑の超過水を上下方向パネルの底部の水採取ダクトによって収集することである。
【００１７】
本発明の第６の目的は、カバー及びパッシブベンチレーションを含むグリーンハウスを形成することである。パッシブベンチレーションは、パネルの底部における低温空気の流入と、グリーンハウスの上部の固定屋根ベンチレーションを介した高温空気の排出とに起因する圧力差によって導入される。
【００１８】
本発明の第７の目的は、グリーンハウスにおける水耕栽培プロセスを確立することである。
【００１９】
上記の複数の目的を達成するべく本発明は以下を提供する。
【００２０】
植物または草木水耕栽培のための複数のジオテキスタイルフェルトのポーチの形態の上下方向ダブル吊下ユニット。このユニットは２つの高い毛細管作用及び水の保持力のジオテキスタイルフェルトカーテンを形成する横方向に延在する折り目内にローダバーを含む。各カーテンは、上部に開口をもたらす、互いの間の複数の等距離の上下方向縫い目と共に前述のカーテンの横方向の底部折り目によって形成された複数のポーチを有する列を片面に含む。これにより、複数の植物または草木が配置される不活性基材を含む複数のポーチが形成される。
【００２１】
上下方向パネルは、水平に、異なる高さで、等距離に、かつ互いにオーバーラップして配置される、複数のジオテキスタイルフェルトのポーチの形態の複数の上下方向ダブル吊下ユニットに対してＴ字の外形の負荷構造強度をもたらす複数のひだを有する２つの上下方向ポストを含む。２つの締付けストラップは、パネル変形を避けるべく、斜めに配置され、複数のネジを用いて複数の上下方向ポストに固定される。横方向パイプに点滴器としての複数の穿孔を有する逆Ｌ状パイプネットワークは、複数の穿孔において、重力及び毛細管により、複数の植物の根を含む不活性基材を有する複数のポーチを通し、栄養素溶剤の溶解水を排出する。水採取ダクトは水圧ポンプを有し、このダクトはその端部が上下方向ポストに固定されることで、水採取ダクトの下方で低温空気を流す。
【００２２】
グリーンハウス構造は、複数のパネルの複数の上下方向ポストと、上下方向パネルに固定された斜め及び横方向の複数の管状プロファイル（ｔｕｂｕｌａｒ  ｐｒｏｆｉｌｅ）とに固定された上下方向の管状プロファイル、光を通過させ雨水を避けるプラスチックカバーを固定した上下方向パネル、パネルの底部における低温空気の入口と、グリーンハウスの上部の固定屋根ベンチレーションを介した高温空気の通気孔とに起因する圧力差により導入されるパッシブベンチレーションのための抗アブラムシメッシュと、によって形成される。
【図面の簡単な説明】
【００２３】
上記の記述を完全なものにし、本発明の理解の向上を助けるべく、例示的で非限定的な複数の図面が添付されており、示される部分を示すべく同じ参照符号に従う。示される図面は以下の通りである。
【図１】複数のバー及びモジュール式灌漑システムを有する、複数のジオテキスタイルフェルトのポーチの形態の複数の上下方向ダブル吊下ユニットを示す上下方向パネルの正面図である。
【図１Ａ】複数のバー及びモジュール式灌漑システムを有する、複数のジオテキスタイルフェルトのポーチの形態の複数の上下方向ダブル吊下ユニットを示す上下方向パネルの断面図である。
【図１Ｂ】モジュールの上下方向パネルの構造を示す正面図である。
【図１Ｃ】モジュールの上下方向パネルの構造を示す平面図である。
【図１Ｄ】複数のネジ（２３）を用いた２つの上下方向ポスト（１）へのローダバー（４）の設置を示す図である。
【図１Ｅ】複数のネジ（２３）を用いた上下方向ポスト（１）へのポストコネクタ（２６）の設置を示す図である。
【図１Ｆ】ディップスティック（２７）を用いた高さ調節をもたらす管状テレスコーピング（２８）及び穿孔（２１）を有するシューポストの設置を示す図である。
【図２】水耕植物栽培のための複数のジオテキスタイルフェルトのポーチの形態の上下方向ダブル吊下ユニットの斜視図である。
【図２Ａ】ローダバー及び２つのカーテンを示す、複数のジオテキスタイルフェルトのポーチの形態の上下方向ダブル吊下ユニットの断面図である。
【図３】上下方向、斜め及び横方向の管状プロファイルを有する複数のパネルの上方に配置されたグリーンハウス構造の正面図である。
【図３Ａ】上下方向、斜め及び横方向の管状プロファイルを有する複数のパネルの上方に配置されたグリーンハウス構造の平面図である。
【図３Ｂ】上下方向、斜め及び横方向の管状プロファイルを有する複数のパネルの上方に配置されたグリーンハウス構造の斜視図である。
【図４】３つの管状プロファイルのジョイントであって、グリーンハウス構造の１つの上下方向の管状プロファイルと、２つの横方向の管状プロファイルとのジョイントの斜視図である。
【図４Ａ】グリーンハウス構造の２つの横方向の管状プロファイルのジョイントの斜視図である。
【図４Ｂ】グリーンハウス構造の横方向管状プロファイルのジョイントと２つのディップスティックの斜視図である。
【図４Ｃ】グリーンハウス構造の２つの上下方向の管状プロファイルのジョイントのテレスコーピングの斜視図である。
【図４Ｄ】グリーンハウス構造のプラスチックカバーと横方向ディップスティックのジョイントの断面図である。
【００２４】
以下の参照番号は、図面上の発明の複数の部分及び環境を示すために使用される。
上下方向ポスト
1.  複数のひだを有する上下方向ポスト
2.  複数の締付けストラップ
3.  複数のポーチ
4.  ローダバー
5.  複数のジオテキスタイルフェルトのポーチの形態の複数の上下方向ダブル吊下ユニット
7.  上部の、横方向に延在する折り目
7ａ.  底部の、横方向に延在する折り目
8.  縫い目
9.  オーバーラップ
10.  複数の不活性基材
11.  上下方向パイプ
12.  互いに等距離の複数の穿孔を有する横方向パイプ
13.  水採取ダクト
14.  水圧ポンプ
15.  上下方向の管状プロファイル
16.  斜めの管状プロファイル
17.  横方向の管状プロファイル
18.  プラスチックカバー
19.  抗アブラムシメッシュ
20.  固定屋根ベンチレーション
21.  穿孔
22.  プラグ
23.  ネジ
24.  ホース
25.  上下方向ポストシュー
26.  上下方向ポストコネクタ
27.  ディップスティック
28.  管状テレスコーピング（テレスコープ）
29.  雨水採取ダクト
30.  チュータリングの支持
31.  低温空気流
32.  高温空気流
【発明を実施するための形態】
【００２５】
本発明は、植物または草木水耕栽培のための複数のポーチの形態の上下方向ダブル吊下ユニットによって形成されるモジュール構造であって、水耕栽培のための複数のジオテキスタイルフェルトのポーチとしての複数の上下方向ダブル吊下ユニットを有する上下方向パネルを含むモジュール構造と、構成と、その栽培工程とに関する。
【００２６】
＜図面の説明＞
図１および図１Ａは、本発明の上下方向パネルを形成する複数の要素を概略的に示す。この上下方向パネルは、Ｔ字の外形の負荷構造強度をもたらす複数のひだを有する２つの上下方向ポスト（１）と、パネルの変形を避けるべく斜めに配置されて複数の上下方向ポスト（１）にネジ（２３）で固定された２つの締付けストラップ（２）と、前述の２つのポスト（１）に複数のネジ（２３）で接合された複数のバー（４）によって設置されまたは取り外されることが可能な、ジオテキスタイルフェルトによって製造された、植物または植物栽培のためのジオテキスタイルフェルトのポーチの形態の複数の上下方向ダブル吊下ユニット（５）を有する２つのポスト（１）と、上下方向パイプ（１１）及び点滴器としての等距離の複数の穿孔の横方向パイプ（１２）を含む逆Ｌ状パイプネットワークであって、栄養素溶剤の溶解水が重力及び毛細管により複数のジオテキスタイルフェルトのポーチの形態の複数の上下方向ダブル吊下ユニット（５）の、複数の植物の根を含む不活性基材（１０）を有した互いのオーバーラップ（９）を介して排出される逆Ｌ状パイプネットワークと、灌漑の超過水を収集して水消費を低減する水採取ダクト（１３）と、灌漑の超過水から収集された超過灌漑水を再利用し、水採取ダクト（１３）の下方で低温空気（３１）を流すべく水採取ダクト（１３）の内側または外側に配置された水圧ポンプ（１４）とを備える。
【００２７】
図１Ｂおよび図１Ｃは、本発明の上下方向パネルの複数の要素を示す。上下方向パネルは、Ｔ字の外形の負荷構造強度をもたらす複数のひだを有する２つの上下方向ポスト（１）と、パネルの変形を避けるべく斜めに配置されて２つの上下方向ポスト（１）に複数のネジ（２３）で固定された２つの締付けストラップ（２）とを備える。
【００２８】
図１Ｄは、複数のネジ（２３）を用いた２つの上下方向ポスト（１）へのローダバー（４）の設置を示す。
【００２９】
図１Ｅは、複数のネジ（２３）を用いた上下方向ポスト（１）へのポストコネクタ（２６）の設置を示す。
【００３０】
図１Ｆは、ディップスティック（２７）を用いた高さ調節をもたらす管状テレスコーピング（２８）及び穿孔（２１）を有するシューポストの設置を示す。
【００３１】
図２および図２Ａは、本発明の複数のジオテキスタイルフェルトのポーチの形態の上下方向ダブル吊下ユニットの複数の要素を示す。上下方向ダブル吊下ユニットは、栄養素溶剤が溶解した水を重力及び毛細管により排出する、２つの高い毛細管作用のジオテキスタイルフェルトのカーテンを形成する上部の、横方向に延在する折り目（７）内に負荷バー（４）を備える。各カーテンは、上部に開口をもたらす、互いの間の複数の等距離の上下方向縫い目（８）と共に前述のカーテンの横方向の底部折り目（７ａ）によって形成された複数のポーチ（３）を有する列を片面に含む。これにより、複数の植物または草木が配置される不活性基材（１０）を含む複数のポーチ（３）が形成される。上側には、ローダバーのための横方向に延在する折り目を有し、下側は２つのカーテンを形成する。各カーテンは、横方向に延在する折り目と、複数のポーチを含む列とを有する。複数のポーチは、上部に開口をもたらすことで複数のポーチを形成する、互いの間の複数の等距離の上下方向縫い目を用いて形成される。これにより、複数のカーテンが互いに対向し、複数のポーチが外側に形成される。
【００３２】
図３、図３Ａおよび図３Ｂは、複数の上下方向パネル上に配置された本発明のグリーンハウス構造の要素を示す。グリーンハウス構造は、複数のパネルの複数の上下方向ポスト（１）に複数のネジで固定された複数の上下方向の管状プロファイル（１５）、前述の複数の上下方向のプロファイル（１５）に対して複数のネジで固定された斜めの管状プロファイル（１６）及び横方向の管状プロファイル（１７）によって形成される。これにより、グリーンハウス構造は、パネルの底部における低温空気（３１）の流入と、グリーンハウスの上部の固定屋根ベンチレーション（２０）を介した高温空気の排出（３２）とに起因する圧力差により導入されるパッシブベンチレーションのための抗アブラムシメッシュ（１９）を使用しつつ太陽光を通過させ雨水の通過を避けるプラスチックカバー（１８）と、雨水採取ダクト（２９）とを保持する。
【００３３】
図４、図４Ａ、図４Ｂ、図４Ｃおよび図４Ｄは、グリーンハウス構造の建築システムの複数の要素を示す。グリーンハウス構造は、複数のパネルの複数の上下方向ポストコネクタ（２６）と、複数の斜めの管状プロファイル（１６）及び複数の横方向管状プロファイル（１７）の穿孔（２１）とに対して複数のネジ（２３）で固定された管状テレスコーピング（２８）の形態の複数の上下方向の管状プロファイル（１５）と、複数のネジ（２３）により固定された複数のプラグ（２２）及び複数の穿孔（２１）を有する、複数の横方向管状プロファイル（１７）及び複数の斜めの管状プロファイル（１６）のジョイントとにより形成される。穿孔（２１）は、複数のネジ（２３）で複数の上下方向のプロファイル（１５）に固定される。プラスチックカバー（１８）は、ディップスティック（２７）及びホース（２４）に固定され、太陽光を通し、雨水を避ける。固定屋根ベンチレーション（２０）のための抗アブラムシメッシュ（１９）は、ディップスティック（２７）及びホース（２４）により固定される。
【００３４】
水耕植物栽培のためのモジュールの上下方向パネル、並びにグリーンハウスのための構造カバー及び固定屋根ベンチレーションだけではなく、複数の植物または草木水耕栽培のための複数のポーチの形態の上下方向ダブル吊下ユニットの建築システムは、人が扱うことができ、任意のテクスチャ及び色のアルミニウム、真鍮、銅、鋼、鉄、ニッケル、クロム、すず、タングステンまたはこれら合金、熱硬化性樹脂、熱可塑性樹脂、及び強化プラスチック、自然の無垢材、べニア、及び、集成材、自然またはプラスチックの織物繊維のような様々な材料で建てることができるよう、適切な寸法の複数のモジュールに製造されてよい。
【００３５】
植物‐草木水耕栽培のためのモジュールの上下方向パネルの建築システムにおける効率は、ｍ２あたりでより高い栽培植物密度を提供するべく、地表面が少ないことを要求する。パネルの高さが高くなると、植物の密度が高まる。
【００３６】
植物‐草木水耕栽培のための複数のジオテキスタイルフェルトのポーチの形態の上下方向ダブル吊下ユニットの設計及び機能、植物水耕栽培のための上下方向モジュールパネルの建築システム、グリーンハウスのための構造カバー及び固定屋根ベンチレーションは、栽培工程として、以下をもたらすシステムの新規性を有する。
・異なる高さで生育されることによる空間の最大使用
・上下方向パネルの複数のジオテキスタイルフェルトのポーチの形態の残りの複数の上下方向ダブル吊下ユニットに影響を与えることなく、植物水耕栽培のための複数のジオテキスタイルフェルトのポーチの形態の上下方向吊下げユニットを取り除くこと及び交換することを可能にする
・システムが容易に自動化可能である
・より速い作物の種まき、収穫、及び輪作を可能にする
・灌漑用水を多くは必要としない
・収穫及び灌漑システムのクリーニングを容易化する
・炭素放出量を減らす
【００３７】
植物水耕栽培のための上下方向モジュールパネルの他の機能は以下の通りである。
・壁、果樹園またはグリーンハウスの構造を形成するべく、複数のパネルの複数の上下方向ポストが使用されるので、３つ以上のパネルが配置される場合に、それらの後方、側方、直角、平行または上方に位置してパネルを支持する壁を必要としない。
・１００％組立可能、持ち運び可能、取り外し可能、及び修復可能である。
【００３８】
複数の上下方向ダブル吊下ユニットを有する当該モジュールの上下方向パネルの特徴がグリーンハウスのための構造及び固定屋根ベンチレーションをカバーするという上記の説明に関し、植物水耕栽培のための複数のジオテキスタイルフェルトのポーチの形態の上下方向ダブル吊下ユニットは、如何なる他の装置による最新技術にも見つからず、物理空間、材料コスト、人件費、設置時間、炭素放出量の減少条件を結集する。効率は、有機農業の密度及び生産性を向上させ、品質管理を向上させることで達成される。
【００３９】
＜本発明の好ましい実施形態＞
植物水耕栽培のための複数のジオテキスタイルフェルトのポーチの形態の上下方向ダブル吊下ユニット（図２および図２Ａ）の好ましい実施形態は、高い毛細管作用及び保水のジオテキスタイルフェルトを有する２つのカーテンをもたらすべく、吊下ユニットの上部の、横方向に延在する折り目内に、ローダバーを含む。各カーテンは、上部に開口をもたらす、互いの間の複数の等距離の上下方向縫い目と共に各カーテンの横方向の底部折り目によって形成された複数のポーチを有する列を片面に含む。これにより、複数の植物または草木が配置される不活性基材を含む複数のポーチが形成される。
【００４０】
本発明のさらに好ましい実施形態では、植物水耕栽培のための複数のジオテキスタイルフェルトのポーチの形態の上下方向ダブル吊下ユニットはまた、独立に、或いは、ジオテキスタイルフェルトの複数の袋の形態の複数の上下方向吊下げユニットとともに、図では示されていない複数のブラケットによって壁に取り付けられ得る。
【００４１】
本発明のさらに好ましい実施形態では、植物水耕栽培のための複数のジオテキスタイルフェルトのポーチの形態の上下方向ダブル吊下ユニットはまた、独立に、或いは、複数のジオテキスタイルフェルトのポーチの形態の複数の上下方向吊下げユニットとともに、図では示されていない水平面に複数のサスペンダーによって配置され得る。
【００４２】
本発明のさらに好ましい実施形態では、植物水耕栽培のための複数のジオテキスタイルフェルトのポーチの形態の上下方向ダブル吊下ユニットはまた、独立に、或いは、複数のジオテキスタイルフェルトのポーチの形態の複数の上下方向吊下げユニットとともに、図では示されていない２枚の壁の間の複数の平行なバーによって配置されてよい。
【００４３】
本発明のさらに好ましい実施形態では、図１、図１Ａ、図１Ｂおよび図１Ｃに示される上下方向パネルは、複数の異なる高さに等距離で互いオーバーラップして水平な形態で配置された、植物‐草木水耕栽培のための複数のジオテキスタイルフェルトのポーチの形態の複数の上下方向ダブル吊下ユニットとともに、Ｔ字の外形の負荷構造強度を提供する複数のひだを有する２つの上下方向ポストにより形成される。２つの締付けストラップは、パネルの変形を防ぐべく、斜めに配置されて複数の上下方向ポストに固定される。横方向パイプの表面の、点滴器としての等距離の複数の穿孔を有する逆Ｌ状パイプネットワークでは、複数の穿孔は、重力及び毛細管により、複数の植物の根を含む不活性基材を有し互いにオーバーラップした複数のジオテキスタイルフェルトのポーチの形態の複数の上下方向ダブル吊下ユニットを通し、下側の水採取ダクトに達するまで、栄養素溶剤の溶解水を排出する。下側の水採取ダクトは、端部が複数の上下方向ポストに固定されており、溶解水を蓄積し、上下方向パイプを通して水圧ポンプにより上昇させ、等距離で形成された複数の点滴器を有する横方向パイプに到達させる。灌漑サークルは閉じている。
【００４４】
本発明のさらに好ましい実施形態では、他の設置された複数の列に影響を与えることなく、複数のジオテキスタイルフェルトのポーチの形態の複数の上下方向ダブル吊下ユニットが上下方向パネルにおいて設置され、または取り外されることができる。
【００４５】
本発明のさらに好ましい実施形態では、上下方向パネルは、複数の上下方向パネルがそれらのポストにおいて横方向に直線状に繋がって配置されることができ、これにより水採取ダクトが直線状に接続されるだけではなく、横方向のパイプを直線状に接続することが可能になり、その結果、灌漑システムのために１つの上下方向パイプ及び１つの水圧ポンプのみが使用される。
【００４６】
本発明のさらに好ましい実施形態では、上下方向パネルは、複数の上下方向パネルがそれらのポストにおいて互いの上部に縦方向に直線状に繋がった状態に配置されることができ、これにより上下方向パイプを直線状に接続することが可能になり、その結果、灌漑システムのために１つの上下方向パイプ、１つの水採取ダクト及び１つの水圧ポンプのみが使用される。
【００４７】
本発明のさらに好ましい実施形態では、上下方向パネルは、複数の異なる高さに等距離で互いオーバーラップして水平に配置された、水耕栽培のための複数のジオテキスタイルフェルトのポーチの形態の複数の上下方向ダブル吊下ユニットとともに、Ｔ字の外形の負荷構造強度を提供する複数のひだを有する２つの上下方向ポストにより形成される。２つの締付けストラップは、パネルの変形を防ぐべく、斜めに配置されて複数の上下方向ポストに固定される。前述のパネルの上部に配置された横方向パイプに点滴器としての複数の穿孔を有する逆Ｌ状のパイプにおいて、複数の穿孔は、重力及び毛細管により、複数の植物の根を含む不活性基材を有し互いにオーバーラップした複数のジオテキスタイルフェルトのポーチの形態の複数の上下方向ダブル吊下ユニットを通し、栄養素溶剤の溶解水を排出する。
【００４８】
本発明のさらに好ましい実施形態では、植物水耕栽培のための上下方向パネルは、設置される態様に起因して、少なくともスカッドに配置される２つのパネルの組み合わせにおいて安定するのに必要な支持及び構造強度を複数のポストが生じさせるので、パネルを支持する如何なる壁または上下方向部材にも依存することなく、少なくとも２つのパネルを混合して配置されることができる。
【００４９】
本発明のさらに好ましい実施形態では、植物水耕栽培のための上下方向パネルは、そのようなパネルを支持する如何なる壁または上下方向要素にも依存することなく、複数のパネルが配置されることができる。異なる位置におけるそのような配置は、水耕栽培においてより高い制御及び資源効率をもたらす果樹園またはグリーンハウスを生成する。
【００５０】
本発明のさらに好ましい実施形態では、図３、図３Ａおよび図３Ｂの植物水耕栽培のための上下方向パネルは、パッシブベンチレーションのためのプラスチックカバーを有する管状プロファイルの構造が配置され得る。パッシブベンチレーションは、パネルの底部における低温空気の流入と、グリーンハウスの上部の固定屋根ベンチレーションを介した高温空気の排出とに起因する圧力差によって導入される。複数のポストは、必要とされるパネルの支持及び構造強度を生じさせる。
【００５１】
本発明のさらに好ましい実施形態では、植物水耕栽培のための上下方向パネルは、その施工手順に起因して、完全にリサイクル可能な材料の組成が自然環境を維持し炭素放出を減少させるだけではなく、如何なる無駄を引き起こすことなく、容易に移動可能、組立可能、設置可能、取り外し可能、折り畳み可能（ｃｏｌｌａｐsｉｂｌｅ）、及び１００％再利用可能である。
【００５２】
本発明のさらに好ましい実施形態では、植物水耕栽培のための上下方向モジュールパネルは以下を含む。
ａ）複数のひだを有する２つの上下方向支持ポスト、上下方向ポストに固定された２つの締付けストラップ、及び、複数の上下方向ポストに固定された上下方向ダブル吊下ユニットの位置に複数の横方向バーを固定するための複数の孔部によって形成された支持構造、
ｂ）複数の上下方向ポストに固定された複数の横方向バー上に配置された複数のジオテキスタイルフェルトのポーチの形態の複数の上下方向ダブル吊下ユニットであって、容易に列単位で設置され、または取り外される上下方向ダブル吊下ユニット、
ｃ）逆Ｌ状パイプネットワーク、水採取ダクト、及び水圧ポンプ、
ｄ）必要とされるパネルの支持及び構造強度を複数のポストが生じさせることにより、プラスチックカバーと一緒の管状プロファイルと、固定屋根ベンチレーションとを含んでグリーンハウスを形成する構造。
【００５３】
＜複数の例＞
例１
支持構造と、複数の吊下ユニットと、植物水耕栽培のための複数の管状プロファイルを有する構造とは既知の方法によって以下のように製造された。
ａ）複数のひだを有する２つの上下方向支持ポスト、複数の上下方向ポストに固定された２つの締付けストラップ、及び、複数の上下方向ポストに固定された上下方向ダブル吊下ユニットの位置に複数の横方向バーを固定するための複数の孔部によって形成された支持構造、
ｂ）複数の上下方向ポストに固定された複数の横方向バー上に配置された複数のジオテキスタイルフェルトのポーチの形態の複数の上下方向ダブル吊下ユニットであって、容易に列単位で設置され、または取り外される上下方向ダブル吊下ユニット、
ｃ）逆Ｌ状パイプネットワーク、水採取ダクト、及び水圧ポンプ、並びに、
ｄ）プラスチックカバーと一緒の複数の管状プロファイルと、パッシブベンチレーションとを含む構造であって、パッシブベンチレーションは、パネルの底部における低温空気の流入と、グリーンハウスの上部の固定屋根ベンチレーションを介した高温空気の排出とに起因する圧力差によって導入される構造。複数のポストは、必要とされるパネルの支持及び構造強度を生じさせる。
【００５４】
例２
植物水耕栽培のための複数の吊下ユニットを有する支持構造は、既知の方法によって以下のように製造された。
ａ）複数のひだを有する２つの上下方向支持ポスト、複数の上下方向ポストに固定された２つの締付けストラップ、及び、複数の上下方向ポストに固定された上下方向ダブル吊下ユニットの位置に複数の横方向バーを固定するための複数の孔部によって形成された支持構造、
ｂ）複数の上下方向ポストに固定された複数の横方向バー上に配置された複数のジオテキスタイルフェルトのポーチの形態の複数の上下方向ダブル吊下ユニットであって、容易に列単位で設置され、または取り外される上下方向ダブル吊下ユニット、
ｃ）逆Ｌ状パイプネットワーク、水採取ダクト、及び水圧ポンプ。
【００５５】
例３
マッシュルーム栽培のための複数の吊下ユニットを有する支持構造は既知の方法によって以下のように製造された。
ａ）複数のひだを有する２つの上下方向支持ポスト、複数の上下方向ポストに固定された２つの締付けストラップ、及び、複数の上下方向ポストに固定された上下方向ダブル吊下ユニットの位置に複数の横方向バーを固定するための複数の孔部によって形成された支持構造、
ｂ）複数の上下方向ポストに固定された複数の横方向バー上に配置された複数のジオテキスタイルフェルトのポーチの形態の複数の上下方向ダブル吊下ユニットであって、容易に列単位で設置され、または取り外される上下方向ダブル吊下ユニット、
ｃ）逆Ｌ状パイプネットワーク、水採取ダクト、及び水圧ポンプ、
ｄ）プラスチックカバー（ダーク）と一緒の複数の管状プロファイルと、パッシブベンチレーションとを含む構造であって、パッシブベンチレーションは、パネルの底部における低温空気の流入と、グリーンハウスの上部の固定屋根ベンチレーションを介した高温空気の排出とに起因する圧力差によって導入される構造。パネル構造に起因して、複数のポストは、完全な暗さを維持し、温度及び湿度を制御しつつ、必要とされるパネルの支持及び構造強度を生じさせる。
【００５６】
例４
植物及び野菜栽培のためのグリーンハウス構造は既知の方法によって以下のように製造された。
ａ）複数の上下方向ダブル吊下ユニットの複数の上下方向パネル、
ｂ）複数のポストに複数のネジで固定された複数の上下方向ダブル吊下ユニットの複数のパネル上に配置された複数の上下方向の管状プロファイル、
ｃ）プラスチックカバーを保持すべく前述の複数の上下方向のプロファイルに複数のネジで固定された斜め及び横方向の複数の管状プロファイル、
ｄ）太陽光を通過させるプラスチックカバー、
ｅ）パネルの底部における低温空気の流入と、グリーンハウスの上部の固定屋根ベンチレーションを介した高温空気の排出とに起因する圧力差によって導入されるパッシブベンチレーションのための抗アブラムシメッシュ。
【００５７】
また、植物のためのチュータを吊るすべく、複数の上下方向ダブル吊下ユニットの複数のパネルの上部にバーを有し、雨水採取ダクト及びダクトの構造（構造設計）は、非組み立て部品を容易に組み立てることを可能にする。
【図１−１Ａ】
2015533496.tif 000003
【図１Ｂ】
2015533496.tif 000004
【図１Ｃ】
2015533496.tif 000005
【図１Ｄ】
2015533496.tif 000006
【図１Ｅ】
2015533496.tif 000007
【図１Ｆ】
2015533496.tif 000008
【図２】
2015533496.tif 000009
【図２Ａ】
2015533496.tif 000010
【図３】
2015533496.tif 000011
【図３Ａ】
2015533496.tif 000012
【図３Ｂ】
2015533496.tif 000013
【図４】
2015533496.tif 000014
【図４Ａ】
2015533496.tif 000015
【図４Ｂ】
2015533496.tif 000016
【図４Ｃ】
2015533496.tif 000017
【図４Ｄ】
2015533496.tif 000018
【国際調査報告】
2015533496.tif 000019
2015533496.tif 000020
2015533496.tif 000021
2015533496.tif 000022
2015533496.tif 000023
2015533496.tif 000024